【手続補正書】
【提出日】平成18年8月24日(2006.8.24)
【手続補正１】
【補正対象書類名】明細書
【補正対象項目名】特許請求の範囲
【補正方法】変更
【補正の内容】
【特許請求の範囲】
【請求項１】  複数の写真画像を含んだフィルム片を走査するとともに、それに対応する写真画像の複数のディジタル表現を生成するための写真フィルム走査システムであって、該システムが、
該フィルム片を透過させて光を投射する光源と、
該フィルム片を透過させて投射された該光を検知するとともに、画素データを生成するための光センサーであって、該光センサーが第１の光センサー位置に配置されている、光センサーと、
該光源と該光センサーとの間で該フィルム片を前進させるためのフィルムドライブと、
該フィルム片と該光センサーとの間に配置されて、該フィルム片を透過して投射された光を該光センサーに当てるレンズであって、該レンズが第１のレンズ位置に配置されている、レンズと、
該レンズの位置を第２のレンズ位置に変更するとともに、該光センサーの位置を第２の光センサー位置に変更する調節可能な解像度手段であって、ここで、該レンズおよび該光センサーの位置の変更の結果として走査解像度の変動を生じる、調節可能な解像度手段と、
該生成された画素データから該フィルム片のディジタル画像を生成する手段であって、該フィルム片のディジタル画像が該写真画像の複数のディジタル表現を含む、ディジタル画像を生成する手段と、
該フィルム片のディジタル画像中の該写真画像の複数のディジタル表現を位置付けする手段とを備えている、走査システム。
【請求項２】  フィルム片のディジタル画像にコード化されたデータの画像を位置付けする手段と、
コード化データの位置付け画像を記憶された画像データと比較することにより、コード化データの位置付け画像を識別するための手段とを更に備えた、請求項１に記載の走査システム。
【請求項３】  写真フィルムから画素データを生成するためのスキャナであって、該スキャナが、
複数の入り口トラックであって、各入り口トラックが写真フィルムを受容するのに適するようにされた、入り口トラックと、
該フィルムが該スキャナを出るときに通る出口と、
該入り口トラックと該出口との間に位置する共通のガイドトラックであって、該共通のガイドトラックが該入り口トラックから該出口までフィルムを誘導する、共通のガイドトラックと、
共通のガイドトラックを通して該フィルムを前進させるためのフィルム駆動機構と、
光を投射して該フィルムを透過させる光源と、
該フィルムを通して投射された光を検知するとともに、検知された光の強度に基づいて画素データを生成するための光センサーであって、該光センサーが第１の光センサー位置に配置されている、光センサーと、
該フィルム片と該光センサーとの間に配置されて、該フィルム片を通して投射された光を該光センサーに当てるレンズであって、該レンズが第１のレンズ位置に配置される、レンズと、
該レンズの位置を第２のレンズ位置に変更するためのレンズ駆動機構と、
該光センサーの位置を第２の光センサー位置に変更するための光センサー駆動機構と、
走査解像度データを受信し、制御信号を該レンズ駆動機構および該光センサー駆動機構に送信して、該走査解像度データに従って該レンズおよび該光センサーを位置決めする制御装置とを備えている、スキャナ。
【請求項４】  写真フィルムを走査するとともに、該写真フィルムを表現している画素データを生成する方法であって、該方法が、
光源と光センサーとの間で該フィルムを前進させる工程であって、該光センサーが第１の光センサー位置に配置されている、工程と、
該光源を利用して、光を投射して該フィルムを透過させる工程と、
レンズを利用して、該フィルムを通して投射された光を該光センサーに当てる工程であって、該レンズが第１のレンズ位置に配置されている、工程と、
走査解像度データを受信する工程と、
該レンズの位置を第２のレンズ位置に変更し、該光センサーの位置を第２の光センサー位置に変更する工程であって、位置の変更が、受信された走査解像度データに従って行われる、工程と、
該光センサーを利用して、該フィルムを通して投射された光を検知する工程と、
該光センサーにより検知された光に基づいて画素データを生成する工程とを含み、ここで、該画素データが該フィルムを表現している、方法。
【請求項５】  フィルム片を走査する前に、フィルムスキャナの焦点を自動的に調節する方法であって、該方法が
較正フィルム片を該スキャナに挿入する工程であって、該較正フィルム片が、該フィルム片の長さに沿って長軸線方向に延在する複数の暗色ラインを有している、工程と、
光源を利用して、光を投射して該較正フィルム片を透過させる工程と、
光センサーを利用して、該較正フィルム片を通して投射された光を表現する画素データを生成する工程と、
該光源と該光センサーとの間で該較正フィルム片を前進させる工程と、
レンズを利用して、該較正フィルム片を通して投射された光を該光センサーに当てる工程であって、該レンズが第１のレンズ位置に配置されている、工程と、
該フィルム片上の暗色ラインと該暗色ラインに隣接している空間との間のコントラストを、生成された画素データから算出する工程と、
該レンズの位置を変更し、該暗色ラインと該暗色ラインに隣接している空間との間のコントラストを再度算出する工程とを包含する、方法。
【手続補正２】
【補正対象書類名】明細書
【補正対象項目名】０１３２
【補正方法】変更
【補正の内容】
【０１３２】
本発明は好ましい実施態様を参照しながら説明されてきたが、本発明の精神および範囲から逸脱せずに、形式および細部について変更が実施され得ることを当業者は認識する。さらに、本発明の種々の、走査システム、スキャナ、及び方法の追加の態様を以下に挙げる。
複数の写真画像を含んだフィルム片を走査するとともに、それに対応する写真画像の複数のディジタル表現を生成するための写真フィルム走査システム。該システムは、該フィルム片を透過させて光を投射する光源と、該フィルム片を透過させて投射された該光を検知するとともに、画素データを生成するための光センサーであって、該光センサーが第１の光センサー位置に配置されている、光センサーと、該光源と該光センサーとの間で該フィルム片を前進させるためのフィルムドライブと、該フィルム片と該光センサーとの間に配置されて、該フィルム片を透過して投射された光を該光センサーに当てるレンズであって、該レンズが第１のレンズ位置に配置されている、レンズと、該レンズの位置を第２のレンズ位置に変更するとともに、該光センサーの位置を第２の光センサー位置に変更する調節可能な解像度手段であって、ここで、該レンズおよび該光センサーの位置の変更の結果として走査解像度の変動を生じる、調節可能な解像度手段と、該生成された画素データから該フィルム片のディジタル画像を生成する手段であって、該フィルム片のディジタル画像が該写真画像の複数のディジタル表現を含む、ディジタル画像を生成する手段と、該フィルム片のディジタル画像中の該写真画像の複数のディジタル表現を位置付けする手段とを備えることができる。
本発明の走査システムは、発光素子と、光ファイバーケーブルと、光検出装置とを有するコードセンサーを更に備えることができる。該発光素子は光を投射して、コード化されたデータが配置されているフィルム片の端縁を透過させ、該フィルム片を通して投射された光は該光ファイバーケーブルを備えた該光検出装置に誘導され、該フィルム片上のコード化データを表現する信号を該光検出装置が生成する。本発明の走査システムは、前記光検出装置により生成された前記信号をバイナリ値に変換するための変換手段を更に備ることができる。該変換手段は、該バイナリ値を得るために、光検出装置により生成された信号を第１の閾値と比較する工程を包含する。前記変換手段は前記閾値を自動的に調節することができる。
本発明の走査システムは、前記フィルムドライブが、前記フィルム片の前進の方向を逆転させて、選択された画像を再度走査することができるようにした手段を更に備えることができる。
本発明の走査システムは、前記光源と前記光センサーとの間に配置された光フィルタを更に備えることができ、ここで、前記光フィルタは該光センサーに投射された光の強度を低減し、そして前記走査解像度が所定の閾値に達すると、該光センサーに投射された光の経路から離れる方向に該光フィルタを自動的に移動させる手段を更に備えることができる。
本発明の走査システムは、前記写真画像の複数のディジタル表現を表示するための手段を更に備えることができる。
本発明の走査システムは、第１の位置センサーと第２の位置センサーとを更に備えることができ、前記レンズが第１の所定の位置にいつ達したかを該第１の位置センサーが検出し、前記光センサーが第２の所定の位置にいつ達したかを第２の位置センサーが検出する。
本発明の走査システムは、前記光源が円筒状の蛍光バルブ（ｆｌｏｕｒｅｓｃｅｎｔ  ｂｕｌｂ）を有することができ、前記光センサーに面している穴部分を除外して、該バルブは該バルブの実質的に全表面上に反射性被膜を有している。該クランプは、前記円筒状の蛍光バルブに装着されることができ、該バルブを適所に維持するとともに、前記穴部分が継続的に前記光センサーに面していることを確実にする。
本発明の走査システムは、接地に電気接続された多数のブラシ式剛毛を有している帯電防止機構を更に備えることができ、該ブラシ式剛毛にフィルム片をこすりつけることにより、走査処理の前に該フィルム片から静電気が除去される。
本発明の走査システムは、小型のフィルム片を捕獲するとともに、該フィルム片をそれらが走査されたのと同一順序で維持するための脱着可能なバスケットを更に備えることができる。
本発明の走査システムは、前記光源により生成された光の強度を変更するための調節可能な強度手段を更に備えることができる。前記調節可能な解像度手段は、前記走査解像度を変更すると、前記光源により生成された光の強度を前記調節可能な強度手段が自動的に変更することができる。
本発明の走査システムは、フィルム片が細孔またはスプロケット孔を有している場合に、該フィルム片の外側端縁を通して投射された光を遮断する手段を備えることができ、実質的に前記光センサーに達した光だけが、写真画像を含む該フィルム片の部分を通して投射された光である。
本発明の走査システムは、前記フィルム片が前記光源と前記光センサーとの間を通過するとき、該フィルム片を長軸線方向に曲げるための手段を更に備えることができる。本発明の走査システムは、フィルムの第１の端縁を誘導するための連続する左ガイドと、フィルムの第２の端縁を誘導するための連続する右ガイドとから構成されたガイドトラックを更に備えることができる。前記左ガイドおよび前記右ガイドにスプリングが装填されることができ、フィルム片の厚さとは無関係に、該フィルム片の端縁で一定の圧力を維持する。
本発明の走査システムは、フィルム片のディジタル画像にコード化されたデータの画像を位置付けする手段と、コード化データの位置付け画像を記憶された画像データと比較することにより、コード化データの位置付け画像を識別するための手段とを更に備えることができる。
写真フィルムから画素データを生成するためのスキャナ。該スキャナは、複数の入り口トラックであって、各入り口トラックが写真フィルムを受容するのに適するようにされた入り口トラックと、該フィルムが該スキャナを出るときに通る出口と、該入り口トラックと該出口との間に位置する共通のガイドトラックであって、該共通のガイドトラックが該入り口トラックから該出口までフィルムを誘導する共通のガイドトラックと、共通のガイドトラックを通して該フィルムを前進させるためのフィルム駆動機構と、光を投射して該フィルムを透過させる光源と、該フィルムを通して投射された光を検知するとともに、検知された光の強度に基づいて画素データを生成するための光センサーであって、該光センサーが第１の光センサー位置に配置されている光センサーと、該フィルム片と該光センサーとの間に配置されて、該フィルム片を通して投射された光を該光センサーに当てるレンズであって、該レンズが第１のレンズ位置に配置されるレンズと、該レンズの位置を第２のレンズ位置に変更するためのレンズ駆動機構と、該光センサーの位置を第２の光センサー位置に変更するための光センサー駆動機構と、走査解像度データを受信し、制御信号を該レンズ駆動機構および該光センサー駆動機構に送信して、該走査解像度データに従って該レンズおよび該光センサーを位置決めする制御装置とを備えることができる。前記共通のガイドトラックは、前記フィルムの第１の端縁を誘導する左ガイドと、該フィルムの第２の端縁を誘導する右ガイドと、該左ガイドと該右ガイドとの間の距離を調節するための距離調節手段とを備えることができる。前記左ガイドと前記右ガイドとが連続しているとともに、スプリングが装填されて、フィルム片の厚さとは無関係に、該フィルム片の端縁で一定の圧力を維持することができる。
本発明のスキャナの各入り口トラックは、その入り口トラックにフィルムが存在しているかどうかを示す信号を出力するフィルム入り口センサーを備えており、前記距離調節手段が該フィルム入り口センサーにより出力された信号に従って前記右ガイドおよび前記左ガイドを移動させ、それにより、該フィルム入り口センサーにより検出された該フィルムを収容するように、該左ガイドと該右ガイドとの間の距離を変動させることができる。
本発明のスキャナは、該スキャナの前記出口に隣接して配置されたフィルム出口センサーを備えることができ、前記フィルムが該スキャナの出口に存在しているかどうかを示す信号をフィルム出口センサーが出力し、該フィルム出口センサーがフィルムが該スキャナに存在していることを示すと、前記左ガイドと前記右ガイドとの間の距離が調節不可能となる。
本発明のスキャナは、発光素子と、光ファイバーケーブルと、光検出装置とを有しているコードセンサーを更に備えることができ、ここで、該発光素子が光を投射してコード化されたデータが配置されているフィルム片の端縁を透過させ、該フィルム片を通して投射された光が、該光ファイバーケーブルを備えた該光検出装置に誘導され、該フィルム片上のコード化データを表している信号を該光検出装置が生成する。本発明のスキャナは、前記光検出装置により生成された信号をバイナリ値に変換する変換手段を更に備えることができ、該変換手段は該光検出装置により生成された信号を第１の閾値と比較して、該バイナリ値を得る。前記変換手段は、前記閾値を自動的に調節することができる。
本発明のスキャナは、前記フィルム片の前進する方向を逆転させて、選択された画像を再度走査できるようにした手段を有する、フィルム駆動機構を更に備えることができる。
本発明のスキャナは、前記光源と前記光センサーとの間に配置された光フィルタを更に備えることができ、ここで、該光フィルタは該光センサーに投射された光の強度を低減し、前記走査解像度が所定の閾値に達すると、該光センサーに投射された光の経路から離れる方向に該光フィルタを自動的に移動させる。
本発明のスキャナは、第１の位置センサーおよび第２の位置センサーを更に備えることができ、ここで前記レンズが第１の所定の位置にいつ達したかを該第１の位置センサーが検出し、前記光センサーが第２の所定の位置にいつ達したかを第２の位置センサーが検出する。
本発明のスキャナは、前記光源が円筒状の蛍光バルブを有することができ、前記光センサーに面している穴部分を除外して、該バルブは該バルブの実質的に全表面上に反射性被膜を有している。該クランプは、前記円筒状の蛍光バルブに装着されることができ、該バルブを適所に維持するとともに、前記穴部分が継続的に前記光センサーに面していることを確実にする。
本発明のスキャナは、接地に電気接続された多数のブラシ式剛毛を有している帯電防止機構を更に備えることができ、ここで、該ブラシ式剛毛にフィルム片をこすりつけることにより、走査処理の前にフィルム片から静電気が除去される。
本発明のスキャナは、小型のフィルム片を捕獲するとともに、該フィルム片をそれらが走査されたのと同一順序で維持するための脱着可能なバスケットを更に備えることができる。
本発明のスキャナは、前記光源により生成された光の強度を変更するための調節可能な強度手段を更に備えることができる。前記調節可能な解像度手段は、前記走査解像度を変更すると、前記光源により生成された光の強度を前記調節可能な強度手段が自動的に変更する。
本発明のスキャナは、前記フィルム片が細孔またはスプロケット孔を有している場合に、該フィルム片の外側端縁を通して投射された光を遮断する手段をさらに備えることができ、実質的に前記光センサーに達した光だけが、写真画像を含む該フィルム片の部分を通して投射された光である。
本発明のスキャナは、前記フィルム片が前記光源と前記光センサーとの間を通過するとき、該フィルム片を長軸線方向に曲げるための手段を更に備えることができる。
本発明のスキャナは、前記生成された画素データにコード化されたデータの画像を位置付ける手段と、コード化データの位置付け画像を記憶された画像データと比較することにより、該コード化データの位置付け画像を識別するための手段とを更に備えることができる。
写真フィルムを走査するとともに、該写真フィルムを表現している画素データを生成する方法。該方法は、光源と光センサーとの間で該フィルムを前進させる工程であって、該光センサーが第１の光センサー位置に配置されている工程と、該光源を利用して、光を投射して該フィルムを透過させる工程と、レンズを利用して、該フィルムを通して投射された光を該光センサーに当てる工程であって、該レンズが第１のレンズ位置に配置されている工程と、走査解像度データを受信する工程と、該レンズの位置を第２のレンズ位置に変更し、該光センサーの位置を第２の光センサー位置に変更する工程であって、位置の変更が、受信された走査解像度データに従って行われる工程と、該光センサーを利用して、該フィルムを通して投射された光を検知する工程と、該光センサーにより検知された光に基づいて画素データを生成する工程とを含むことができ、ここで、該画素データが該フィルムを表現している。
フィルム片を走査する前に、フィルムスキャナの焦点を自動的に調節する方法。該方法は、較正フィルム片を該スキャナに挿入する工程であって、該較正フィルム片が、該フィルム片の長さに沿って長軸線方向に延在する複数の暗色ラインを有している工程と、光源を利用して、光を投射して該較正フィルム片を透過させる工程と、光センサーを利用して、該較正フィルム片を通して投射された光を表現する画素データを生成する工程と、該光源と該光センサーとの間で該較正フィルム片を前進させる工程と、レンズを利用して、該較正フィルム片を通して投射された光を該光センサーに当てる工程であって、該レンズが第１のレンズ位置に配置されている工程と、該フィルム片上の暗色ラインと該暗色ラインに隣接している空間との間のコントラストを、生成された画素データから算出する工程と、該レンズの位置を変更し、該暗色ラインと該暗色ラインに隣接している空間との間のコントラストを再度算出する工程とを包含することができる。